(57)【要約】      （修正有）【課題】材質を変えればあらゆる分野の保護目的を叶えるナプキンと両面テープを組み合わせた衛生面に優れた使い捨てエプロン（名称：ナプロン）を提供する。【解決手段】紙ナプキンや薄いビニール等の使い捨て素材の四隅とライン中央の計六ヵ所に、両面テープ１〜６を貼り付け、使用時に必要な個所を剥がし、衣類、テーブル等の必要とする部分に張り付ける。汚れやホコリ等からの保護が貼り付けるだけで安定して可能になる。【選択図】図１
0003198338.tif 000002
【実用新案登録請求の範囲】
【請求項１】
衣類・皿・テーブル等、汚れや埃等から保護したい場所に大いに活用でき、衛生面を第一に考慮した優れ物。様々な素材を使用し、形状を作る事で楽しい会話が期待でき、しかも安価で販売可能の為、今後は食関係だけでなく、各方面に必需品として販路拡大が大いに期待できます。
【考案の詳細な説明】
【技術分野】
【０００１】  本考案は、衣服への汚れからの保護や食材等へ埃の混入保護等の為の、衛生的な使い捨てカバーに、関するものである。
【背景技術】
【０００２】  之までのカバーは、使用後は洗濯する物が大多数、しかも持ち運びにも考慮しなければならず、外出時の使用は、汚れたまま持ち帰る事で不衛生な上、荷物にもなっていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  食事の度にエプロンをかける事が面倒な為そのまま食し、つい食べこぼして洋服を汚しがちになる事がございますが、ナプロンを使用することで洋服への汚れ防止や、又、食べ物に掛けて埃や虫等から保護する事も衛生面を考慮する上では、大切な目的の一つとしています。
このナプロンは、軽くて持ち運びが便利で必要な時はいつでも取り出し、張り付けるだけの簡単な物で終わるとサット取り外して捨てる事ができますので、本当に衛生的で安心な上、形状を工夫する事で、おしゃれに食事を楽しむ事が出来るよう幅広く利用価値も高いと考えております。
【課題が解決する為の手段】
【０００６】  ナプロンは、自宅・食堂・レストラン・病院・外食等、食事には必要不可欠になると思われます。
赤ちゃんからお年寄りまで全てをカバーしますので、使用用途の範囲も拡大されます。
【考案の効果】
【０００７】  従来のナプキンは胸元に引っかけるだけで不安定でしたが、ナプロンは両面テープを使用していますので安定感は抜群、保護の役目と共に脱着が簡単な事と衛生面上からも必需品になると思われます。他方面、衣服だけでなく食材保護等にも使用が可能な事や、様々な素材を利用し、様々な形を作る事で楽しみと共に、おしゃれや癒し等にも充分優れた効果が期待できます。
【図面の簡単な説明】
【０００８】
【図１】
【考案を実施する為の形態】
【０００９】  固定して取り付けてある両面テープ▲１▼・▲２▼・▲３▼・▲４▼・▲５▼・▲６▼を、汚れ防止や埃除けの必要か所へ▲１▼・▲２▼・▲３▼・▲４▼・▲５▼・▲６▼の表面カバーを外し、張り付ける。
【実施例】
【００１０】  本考案エプキンの図面
衣類・皿・テーブル等、汚れや埃等の防止が必要な場所に大いに活用できる。
衛生面を第一に考慮した優れ物で、価格は安価に設定が可能で、販路拡大が期待できます。
【符号の説明】
【００１１】  １、紙ナプキンや薄いビニール等、カバーに適した使い捨て使用の素材全て
２、両面テープ
【図１】
0003198338.tif 000003
【手続補正書】
【提出日】平成27年1月8日(2015.1.8)
【手続補正１】
【補正対象書類名】実用新案登録請求の範囲
【補正対象項目名】全文
【補正方法】変更
【補正の内容】
【実用新案登録請求の範囲】
【請求項１】
「ナプロンを発案するにおいて、
１  衛生面を第一に考えた脱着が簡単に出来る使い捨てのエプロンで、
２  衣類に貼り付け汚れからの防止や保護をしたり、
３  皿に被せて埃からの保護も可能、
以上の１〜３の構成からなるナプロン。」
【手続補正２】
【補正対象書類名】明細書
【補正対象項目名】全文
【補正方法】変更
【補正の内容】
【考案の詳細な説明】
【技術分野】
【０００１】  本考案は衣服への汚れからの保護や食材等へ埃の混入保護等の為の衛生的な使い捨てカバーに関するものでナプキンと両面テープを組み合せたエプロンです。
【背景技術】
【０００２】  之までのカバーは使用後は洗濯する物が大多数しかも持ち運びにも考慮しなければならず、外出時の使用は汚れたまま持ち帰る事で不衛生な上荷物にもなっていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  食事の度にエプロンをかける事が面倒な為そのまま食しつい食べこぼして洋服を汚しがちになる事がございますがナプロンを使用することで洋服への汚れ防止や又食べ物に掛けて埃や虫等から保護する事も衛生面を考慮する上では大切な目的の一つとしています。
このナプロンは軽くて持ち運びが便利で必要な時はいつでも取り出し張り付けるだけの簡単な物で終わるとサット取り外して捨てる事ができますので本当に衛生的で安心な上形状を工夫する事でおしゃれに食事を楽しむ事が出来るよう幅広く利用価値も高いと考えております。
【課題が解決する為の手段】
【０００６】  ナプロンは自宅や食堂やレストランや病院や外食等食事には必要不可欠になると思われます。
赤ちゃんからお年寄りまで全てをカバーしますので使用用途の範囲も拡大されます。
【考案の効果】
【０００７】  従来のナプキンは胸元に引っかけるだけで不安定でしたがナプロンは両面テープを使用していますので安定感は抜群保護の役目と共に脱着が簡単な事と衛生面上からも必需品になると思われます。他方面衣服だけでなく食材保護等にも使用が可能な事や様々な素材を利用し様々な形を作る事で楽しみと共におしゃれや癒し等にも充分優れた効果が期待できます。
【図面の簡単な説明】
【０００８】
【図１】  平面図
【考案を実施する為の形態】
【０００９】  固定して取り付けてある両面テープ１、２、３、４、５、６を汚れ防止や埃除けの必要か所へ１、２、３、４、５、６の表面カバーを外し張り付ける。
【実施例】
【００１０】  本考案エプキンの図面
衣類  皿  テーブル等汚れや埃等の防止が必要な場所に大いに活用できる。
衛生面を第一に考慮した優れ物で価格は安価に設定が可能で販路拡大が期待できます。
【符号の説明】
【００１１】１、紙ナプキンや薄いビニール等カバーに適した使い捨て使用の素材全て
２、両面テープ
３、図１の裏面の四隔と中央に両面テープを貼る位置
【手続補正書】
【提出日】平成27年3月5日(2015.3.5)
【手続補正１】
【補正対象書類名】実用新案登録請求の範囲
【補正対象項目名】全文
【補正方法】変更
【補正の内容】
【実用新案登録請求の範囲】
【請求項１】
ナプロンとはナプキンの裏に両面テープを貼り付けた軽くて薄い物でその両面テープを剥がし衣服に貼り付ければエプロンとなり又お皿に付ければ風などで飛ばない為に埃除けとなり脱着が簡単な事や使い捨てですから衛生面からも材質を変えればあらゆる分野の保護目的を叶えるナプキンと両面テープを組み合わせたエプロン。